(57)【要約】【課題】簡易な税務会計システム方法及び税務会計システムプログラムを提供すること。【解決手段】撮像機能を有する装置３００によって撮像された税務会計情報画像ＡＧを保存したクラウドサーバ２００にアクセス可能な通信工程と、前記通信工程によりクラウドサーバ２００にアクセスし、保存されている税務会計情報画像ＡＧが表示される画像表示工程と、前記画像表示工程によって表示された税務会計情報画像ＡＧに基づいて、所定の税務会計ソフトウェア４３０に税務会計情報ＡＩが入力される税務会計情報入力工程と、を含む、税務会計システム方法を提供する。【選択図】図１
2017033607.tif 000002
【特許請求の範囲】
【請求項１】
クラウドサーバを用いる税務会計システム方法であって、
撮像機能を有する装置によって撮像された税務会計情報画像を保存したクラウドサーバにアクセス可能な通信工程と、
前記通信工程により前記クラウドサーバにアクセスし、保存されている前記税務会計情報画像が表示される画像表示工程と、
前記画像表示工程によって表示された税務会計情報画像に基づいて、所定の税務会計ソフトェアに税務会計情報が入力される税務会計情報入力工程と、を含む、税務会計システム方法。
【請求項２】
撮像機能を備える第１端末によって、所定の税務会計情報が撮像される撮像工程と、
前記撮像工程によって撮像された税務会計情報画像が前記クラウドサーバに保存される税務会計情報保存工程と、を含む請求項１記載の税務会計システム方法。
【請求項３】
クラウドサーバを用いる税務会計システムのプログラムであって、
撮像機能を有する装置によって撮像された税務会計情報画像を保存したクラウドサーバにアクセス可能な通信処理と、
前記通信処理により前記クラウドサーバにアクセスし、保存されている前記税務会計情報画像が表示される画像表示処理と、
前記画像表示処理によって表示された税務会計情報画像に基づいて、所定の税務会計ソフトェアに税務会計情報が入力される税務会計情報入力処理と、を含む、税務会計システムのプログラム。
【請求項４】
撮像機能を備える第１端末によって、所定の税務会計情報が撮像される撮像処理と、
前記撮像処理によって撮像された税務会計情報画像が前記クラウドサーバに保存される税務会計情報保存処理と、を含む請求項３記載の税務会計システムのプログラム。
【発明の詳細な説明】
【技術分野】
【０００１】
本発明は、税務会計システム方法及び税務会計システムプログラムに関する。
【背景技術】
【０００２】
従来、会計が行われる場合、市販されている会計ソフト（会計ソフトウェア）がインストールされているパソコン又はダウンロードされているパソコンが用いられていた。
【０００３】
そのため、例えば会計処理に税理士事務所又は会計士事務所（以下、「税理士事務所」という。）を利用している企業は、領収書等の束を税理士事務所に郵送しなければならなかった。または税理士事務所の税理士若しくは担当者（以下、「税理士等」という。）が、会計ソフトがインストールされたパソコンを持って、顧客である会社に行かなければならなかった。
【０００４】
これに対し、近年、クラウドサーバを利用した会計ソフトがあり、企業は税理士事務所に行かなくても、企業内にあるパソコンから税理士事務所が利用している会計ソフトにアクセス可能である。
【０００５】
また、クラウドサーバを利用した会計ソフトで、画像認識された領収書が自動仕分けされる会計ソフトもある。
【０００６】
特許文献１は、多数のクライアントコンピュータから経費仕訳管理用サーバに領収書のスキャンデータや画像の送信があれば、それぞれのクライアントコンピュータの利用する会計ソフトの仕訳方、データ形式に対応した経費仕訳データを自動作成し、当該クライアントコンピュータに、経費リストにして配信する経費仕訳管理サービス提供システムについて記載されている。
【先行技術文献】
【特許文献】
【０００７】
【特許文献１】特開２０１６−１１５２２５号公報
【発明の概要】
【発明が解決しようとする課題】
【０００８】
しかしながら、企業担当者又は経営者が税理士事務所に領収書等を郵送する場合、又は、税理士等が企業担当者又は経営者等のクライアント（以下、「クライアント」という。）に郵送してもらう場合、企業担当者、経営者又は税理士等は、一度に大量の領収書等が郵送されるため事務負担が大きかった。
【０００９】
また、税理士事務所にとっては、クライアントが領収書等を郵送する時期が集中し、その時期の作業が非常に忙しくなるという問題がある。
【００１０】
また、税理士事務所が、クライアントからスキャンした領収書等の画像等をメールで送ってもらう場合、税理士事務所の担当者が、メールを誤って削除してしまったり、領収書等の画像を保存し忘れたりする場合もある。
【００１１】
また、税理士事務所の担当者が後日メールを確認しようとする場合、メールを探すのに手間と時間がかかる。
【００１２】
企業の担当者又は個人経営者がクラウドサーバを利用した会計ソフトを利用する場合、会計ソフトの使い方を覚えなければならず面倒である。また、会計ソフト代が発生する。
【００１３】
領収書を画像認識し自動仕分けをする税務会計ソフトの場合、認識を間違える場合が多い。例えば、店舗のレシートの場合、表示方法が様々であるため、おつりが支払金額と認識されてしまう場合もある。そして、領収書等の誤認が気づかれない場合がある。
【００１４】
また、企業の担当者又は個人経営者が当該会計ソフトの認識に間違いに気づいた場合、企業の担当者又は個人経営者が店舗の名称、日付、金額等を修正しなければならず、企業又は経営者が高価な会計ソフトを購入する意味がなくなってしまう。
【００１５】
また、通帳を画像認識する場合でも、ビジネスバンキングの通帳しか認識されない場合もあり、別途ビジネスバンキングと契約をしなければならず、利用料が発生してしまう。
【００１６】
本発明の目的は、簡易な税務会計システム方法及び税務会計システムプログラムを提供することである。
【課題を解決するための手段】
【００１７】
本発明に係る税務会計システム方法は、クラウドサーバを用いる税務会計システム方法であって、撮像機能を有する装置によって撮像された税務会計情報画像を保存したクラウドサーバにアクセス可能な通信工程と、前記通信工程により前記クラウドサーバにアクセスし、保存されている前記税務会計情報画像が表示される画像表示工程と、前記画像表示工程によって表示された税務会計情報画像に基づいて、所定の税務会計ソフトウェアに税務会計情報が入力される税務会計情報入力工程と、を含む方法である。
【００１８】
前記税務会計情報画像は、クラウドサーバ内の所定のフォルダに保存されていることが好ましい。なお、税務会計情報画像の「画像」には動画も含まれる概念である。また、税務会計ソフトウェアには、会計ソフトウェア（会計ソフト）だけでなくＷｏｒｄ、Ｅｘｃｅｌ（マイクロソフト  コーポレーション商品名）、一太郎（登録商標）等の言語ソフトウェア、表計算ソフトウェア等も含む概念である。
【００１９】
このような方法であれば、税理士等は、クラウドサーバにアクセスするだけで、クラウドサーバの所定のフォルダ内の領収書画像等の税務会計情報を、ほぼタイムラグなしに見ることができ、迅速に税務会計処理をすることができる。
【００２０】
また、税理士等は、税務会計情報画像をクライアントに提示して内容を確認することも容易にできる。
【００２１】
本発明に係る税務会計システム方法は、撮像機能を備える第１端末によって、所定の税務会計情報が撮像される撮像工程と、前記撮像工程によって撮像された税務会計情報画像が前記クラウドサーバに保存される税務会計情報保存工程と、を含む方法であってもよい。
【００２２】
前記税務会計情報画像は、前記クラウドサーバ内の所定のフォルダに保存されることが好ましい。
【００２３】
このような方法であれば、クライアントは、撮像機能を備える第１端末であるスマートフォン又はタブレット等で、税務会計情報である領収書等をカメラで撮像し、当該画像をクラウドサーバの所定のフォルダにアップロード（保存）するだけでよい。
【００２４】
つまり、クライアントは、写真を撮ってクラウドサーバの所定のフォルダにアップロードするだけでよく、税務会計ソフトウェアの使い方等を覚えなくてもよい。
【００２５】
また、クライアントは、税理士等に領収書等を送ったかどうか確認したい場合、クラウドサーバの所定のフォルダに領収書等がアップロード（保存）されているかどうかを確認すればよく、確認が容易である。
【００２６】
本発明に係る税務会計システムプログラムは、クラウドサーバを用いる税務会計システムのプログラムであって、撮像機能を有する装置によって撮像された税務会計情報画像を保存したクラウドサーバにアクセス可能な通信処理と、前記通信処理により前記クラウドサーバにアクセスし、保存されている前記税務会計情報画像が表示される画像表示処理と、前記画像表示処理によって表示された税務会計情報画像に基づいて、所定の税務会計ソフトウェアに税務会計情報が入力される税務会計情報入力処理と、を含むプログラムである。
【００２７】
前記税務会計情報画像は、クラウドサーバ内の所定のフォルダに保存されていることが好ましい。
【００２８】
このようなプログラムであれば、税理士等は、クラウドサーバにアクセスするだけで、クラウドサーバの所定のフォルダ内の領収書画像等の税務会計情報を、ほぼタイムラグなしに見ることができ、迅速に税務会計処理をすることができる。
【００２９】
また、税理士等は、税務会計情報画像をクライアントに提示して内容を確認することも容易にできる。
【００３０】
本発明に係る税務会計システムプログラムは、撮像機能を備える第１端末によって、所定の税務会計情報が撮像される撮像処理と、前記撮像処理によって撮像された税務会計情報画像が前記クラウドサーバに保存される税務会計情報保存処理と、を含むプログラムであってもよい。
【００３１】
前記税務会計情報画像は、前記クラウドサーバ内の所定のフォルダに保存されることが好ましい。
【００３２】
このようなプログラムであれば、クライアントは、撮像機能を備える第１端末であるスマートフォン又はタブレット等で、税務会計情報である領収書等をカメラで撮像し、当該画像をクラウドサーバの所定のフォルダにアップロード（保存）するだけでよい。
【００３３】
つまり、クライアントは、写真を撮ってクラウドサーバの所定のフォルダにアップロードするだけでよく、税務会計ソフトウェアの使い方等を覚えなくてもよい。
【００３４】
また、クライアントは、税理士等に領収書等を送ったかどうか確認したい場合、クラウドサーバの所定のフォルダに領収書等がアップロード（保存）されているかどうかを確認すればよく、確認が容易である。
【図面の簡単な説明】
【００３５】
【図１】本発明に係る一実施形態における概略図。
【図２】本発明に係る一実施形態における概略図。
【図３】本発明に係る一実施形態における概略図。
【図４】本発明に係る一実施形態における概略図。
【図５】本発明に係る一実施形態におけるフローチャート。
【発明を実施するための形態】
【００３６】
以下、本発明に係る税務会計システム１００の実施形態に関して図面を参照しながら説明する。
【００３７】
図１に示すように、本実施形態に係る税務会計システム１００は、画像を保存することが可能なクラウドサーバ２００と、クラウドサーバ２００にアクセスすることが可能な端末である第１端末３００と、クラウドサーバ２００にアクセスすることが可能な端末である第２端末４００と、を含む。
【００３８】
（クラウドサーバ２００）
クラウドサーバ２００は、クラウド上に構築されたサーバであり、インターネットを通じてサーバ機能を利用することができるものである。
【００３９】
クラウドサーバ２００の例としては、Ｇ  ｓｕｉｔｅのＧｏｏｇｌｅドライブ（グーグル インコーポレイテッドのサービス名）、Ｄｒｏｐｂｏｘ（登録商標）、ＯｎｅＤｒｉｖｅ（登録商標）が挙げられる。
【００４０】
本実施形態では、クラウドサーバ２００は、ＳａａＳ（Ｓｏｆｔｗａｒｅ  ａｓ  ａ  Ｓｅｒｖｉｃｅ）タイプのものである。つまり、ＩＤとパスワードでクラウドサーバ２００にログインすれば、インターネット上のどこからでも、どの端末からでもクラウドサーバ２００にアクセスすることができる。
【００４１】
なお、クラウドサーバ２００は、ＰａａＳ（Ｐｌａｔｆｏｒｍ  ａｓ  ａ  Ｓｅｒｖｉｃｅ）タイプのもの又はＩａａＳ（Ｉｎｆｒａｓｔｒｕｃｔｕｒｅ  ａｓ  ａ  Ｓｅｒｖｉｃｅ）タイプのものであってもよい。
【００４２】
（第１端末３００）
第１端末３００は、クラウドサーバ２００にアクセスするためのアプリケーションである第１アプリ３１０と、インターネットにアクセスするための通信機能である第１通信部３２０と、後述する税務会計情報ＡＩを撮像するための撮像部３３０と、撮像部３３０によって撮像された画像が表示される第１表示部３４０と、撮像部３３０によって撮像された画像が保存可能である第１記憶部３５０と、を含む。
【００４３】
第１端末３００は、日常的に持ち歩くことが可能な端末であってもよい。第１端末３００の例としては、スマートフォン（携帯電話）、タブレット、ノートパソコンが挙げられる。
【００４４】
第１アプリ３１０は、クラウドサーバ２００にアクセスするためのアプリケーションソフトである。第１アプリ３１０が第１端末３００にダウンロードされることにより、第１端末３００の第１表示部３４０である画面上に、第１アプリ３１０のアイコン（図示しない）が表示される。
【００４５】
本実施形態では、第１アプリ３１０のアイコンが第１端末３００の表示部３４０に表示されている。第１表示部３４０はタッチパネルとなっている。そのため、第１端末３００の利用者は、第１表示部３４０上の前記アイコンに触れるだけで、クラウドサーバ２００にアクセスすることができる。
【００４６】
第１通信部３２０は、インターネットをするための通信を行うところである。第１通信部３２０により、第１端末３００は、クラウドサーバ２００にアクセスすることができる。
【００４７】
なお、第１通信部３２０では、Ｗｉ−Ｆｉ（無線ＬＡＮ）又は有線ＬＡＮでインターネットにアクセスすることも含む。
【００４８】
撮像部３３０は、後述する税務会計情報ＡＩを撮像するためのところである。撮像部３３０の例としては、カメラ、スキャナが挙げられる。
【００４９】
つまり、利用者は、税務会計情報ＡＩである領収書等を、第１端末３００の撮像部３３０であるカメラで撮り、第１端末３００の第１記憶部３５０に保存することにより、第１端末３００は、税務会計情報画像ＡＧを第１端末３００内に取り込む。
【００５０】
なお、利用者は、税務会計情報画像ＡＧを第１端末３００の第１記憶部３５０に保存したが、第１記憶部３５０に保存せずに、直接、クラウドサーバ２００の所定のフォルダ（第４フォルダ２４０）に保存してもよい。
【００５１】
つまり、撮像部３３０によって撮像された画像である税務会計情報画像ＡＧは、第１記憶部３５０を介さず、クラウドサーバ２００の所定のフォルダ（第４フォルダ２４０）に直接保存されてもよい。
【００５２】
第１表示部３４０は、撮像部３３０によって撮像された画像を表示する画面である。ここでいう画像は、ＪＰＥＧ、ＧＩＦ、ＴＩＦＦ、ＰＤＦ等どのような画像であってもよい。また、撮像部３３０によって撮像され、第１記憶部３５０に保存されるのは、画像だけでなく動画であってもよい。
【００５３】
つまり、撮像部３３０によって撮像された税務会計情報画像ＡＧは、第１表示部３４０に表示される。したがって、利用者は、第１端末３００の第１表示部３４０に表示されている税務会計情報画像ＡＧで、ピンボケをしていないか等の画像の状態を確認することができる。
【００５４】
第１記憶部３５０は、撮像部３３０によって撮像された画像を保存するところである。撮像部３３０によって撮像された税務会計情報画像ＡＧは、第１記憶部３５０に保存される。
【００５５】
（第２端末４００）
第２端末４００は、クラウドサーバ２００にアクセスするためのアプリケーションである第２アプリ４１０と、インターネットにアクセスするための通信機能である第２通信部４２０と、税務会計情報画像ＡＧに基づいて税務会計処理が行われる税務会計ソフト４３０と、第２アプリ４１０のアイコン（図示しない）又はクラウドサーバ２００に保存されている画像が表示される第２表示部４４０と、クラウドサーバ２００に保存されている画像が保存可能である第２記憶部４５０と、を含む。
【００５６】
第２端末４００の例は、スマートフォン、デスクトップパソコン、ノートパソコン、タブレット等が挙げられる。
【００５７】
第２アプリ４１０は、クラウドサーバ２００にアクセスするためのアプリケーションソフトである。第２アプリ４１０が第２端末４００にダウンロードされることにより、第２端末４００の第２表示部４４０である画面上に、第２アプリ４１０のアイコン（図示しない）が表示される。
【００５８】
本実施形態では、第２アプリ４１０のアイコンが第２端末４００の第２表示部４４０に表示されている。
【００５９】
第２通信部４２０は、インターネットにアクセスするための通信を行うところである。第２通信部４２０により、第２端末４００は、クラウドサーバ２００にアクセスすることができる。
【００６０】
税務会計ソフト４３０については後述する。第２表示部４４０は、クラウドサーバ２００内に保存されている画像（又は動画）を表示する画面である。
【００６１】
つまり、第２表示部４４０は、クラウドサーバ２００に保存されている税務会計情報画像ＡＧを表示させることができる。
【００６２】
第２表示部４４０に表示される税務会計情報画像ＡＧに基づいて、第２端末４００を使用している作業者は、税務会計ソフト４３０を用いて税務会計処理を行う。なお、税務会計情報画像ＡＧは、第２記憶部４５０に保存されてもよい。
【００６３】
税務会計ソフト４３０は、どのような税務会計ソフトウェアであってもよく、特に限定されない。税務会計ソフト４３０は、税理士事務所で使用されている税務会計ソフトウェアが好ましい。
【００６４】
また、本実施形態では、税務会計ソフト４３０は、第２端末４００にインストールされているが、クラウドサーバ上の税務会計ソフトであってもよい。
【００６５】
また、税務会計ソフト４３０は、第２端末４００とは異なる端末にインストールされているものであってもよい。つまり、第２端末４００を使用している作業者は、第２端末４００であるスマートフォンで税務会計情報画像ＡＧを見ながら、第２端末４００とは異なる端末であるパソコン上の税務会計ソフト４３０に税務会計情報ＡＩを入力してもよい。
【００６６】
図２に示すように、第１端末３００は、第２端末４００に対して、複数あってもよい。図２では、一の第２端末４００ｘに対して、第１端末３００が、第１端末３００ａ、第１端末３００ｂ、第１端末３００ｃ、第１端末３００ｄと複数ある。なお、第１端末３００の数は限定されない。
【００６７】
つまり、一つの第２端末４００に対して、１以上の第１端末３００がクラウドサーバ２００にアクセスされてもよい。また、第２端末４００は複数であってもよい。
【００６８】
（作業者が税務会計ソフト４３０に税務会計情報ＡＩを入力するまでの流れ）
＜第１実施形態＞
第２端末４００の作業者が、税務会計ソフト４３０に税務会計情報ＡＩを入力するまでの流れを説明する。第２端末４００の作業者は、税理士事務所の税理士等である。
【００６９】
第２端末４００の作業者は、クラウドサーバ２００上にフォルダを作成する。図３に示す第１フォルダ２１０、第２フォルダ２２０、第３フォルダ２３０、第４フォルダ２４０は、第２端末４００の作業者がクラウドサーバ２００上に作成したものの一例である。
【００７０】
（第１フォルダ２１０）
クラウドサーバ２００上には、第１フォルダ２１０が作成されている。第１フォルダ２１０には、Ｘ税務会計資料２１１、Ｙ税務会計資料２１２、Ｚ税務会計資料２１３のフォルダが作成されている。
【００７１】
Ｘ税務会計資料２１１のＸは会社名又は個人名である。Ｙ税務会計資料２１２、Ｚ税務会計資料２１３のＹ及びＺも同様である。なお、第１フォルダ２１０内のフォルダの数は限定されない。また、フォルダの名称及び仕訳方は任意であり限定されない。
【００７２】
なお、第１フォルダ２１０には、第１端末３００の利用者はアクセスできないように設定されている。
【００７３】
（第２フォルダ２２０）
第２フォルダ２２０は、第１フォルダ２１０の下位フォルダである。本実施形態では、図３に示すように、第２フォルダ２２０は、Ｘ税務会計資料２１１、Ｙ税務会計資料２１２及びＺ税務会計資料２１３となる。第１端末３００の利用者は、第２フォルダ２２０にアクセスすることができる。
【００７４】
第２フォルダ２２０であるＸ税務会計資料２１１には、領収書等２２１、銀行通帳入出金明細２２２、カード払い請求書等２２３、貸借対照表２２４、損益計算書２２５、売上・仕入請求書２２６、手形等２２７、議事録等２２８のフォルダが作成される。
【００７５】
第２端末４００の作業者等がＸに対して送る請求書のフォルダが、第２フォルダ２２０に作成されてもよい。また、第２フォルダ２２０に固定資産のフォルダが作成されてもよい。
【００７６】
Ｘ税務会計資料２１１以外のＹ税務会計資料２１２及びＺ税務会計資料２１３も同様であるため、Ｙ税務会計資料２１２及びＺ税務会計資料２１３の説明は省略する。
【００７７】
なお、第２フォルダ２２０内のフォルダの数は限定されない。また、フォルダの名称及び仕訳方は任意である。
【００７８】
領収書等２２１のフォルダは、領収書又はレシートの画像が入れられるところである。１月から１２月というように、月ごとに分けて領収書又はレシートの画像が保存（アップロード）されることが好ましい。
【００７９】
銀行通帳入出金明細書２２２のフォルダは、銀行、信用金庫等の通帳の見開き状態の画像、請求書・振替案内等の画像が保存（アップロード）されるところである。
【００８０】
前記通帳の見開き状態の画像は、１月から１２月までの部分の画像である。なお、フォルダの名称は利用者が利用している銀行の名称が記載されることが好ましい。
【００８１】
第１端末３００の利用者は、複数の銀行の銀行口座を有している場合があるため、利用している銀行ごとにフォルダが作成されることが好ましい。また、利用者は、同じ銀行であっても複数の銀行口座を有している場合があるため、銀行口座ごとにフォルダが作成されてもよい。
【００８２】
カード払い請求書等２２３のフォルダは、クレジットカードの利用明細書の画像が保存（アップロード）されるところである。
【００８３】
貸借対照表２２４のフォルダは、第２端末４００の作業者が税務会計情報画像ＡＧを見て作成した貸借対照表が、保存（アップロード）されるところである。
【００８４】
損益計算書２２５のフォルダは、第２端末４００の作業者が税務会計情報画像ＡＧを見て作成した損益計算書が、保存（アップロード）されるところである。
【００８５】
売上・仕入請求書２２６のフォルダは、売上・仕入の請求書の画像が保存（アップロード）されるところである。
【００８６】
手形等２２７のフォルダは、約束手形、為替手形等の手形又は小切手等の画像が保存（アップロード）されるところである。
【００８７】
議事録等２２８のフォルダは、第１端末３００の利用者の会社の会議の議事録、タイムカード、雇用契約書、労働組合等との契約書、就業規則等の社内規程、株主総会資料、事業計画書類、補助金等申請書類、給与明細書、賃金台帳、年末調整関係書類、法定調書、確定申告書、税務署・地方公共団体に対する届出書、償却資産税申告書等の画像が保存（アップロード）されるところである。
【００８８】
（第３フォルダ２３０）
第３フォルダ２３０は、第２フォルダ２２０の下位フォルダである。第３フォルダ２３０である領収書等２２１のフォルダには、１月現金払い２３１ａ、２月現金払い２３２ａ，３月現金払い２３３ａ等のフォルダが作成される。
【００８９】
領収書等２２１には、１月から１２月までの現金払いフォルダが作成される。そして、各月の現金払いフォルダにその月の領収書又はレシートの画像が保存（アップロード）される。なお、フォルダの名称及び仕訳方は任意である。
【００９０】
第３フォルダ２３０である銀行通帳入出金明細２２２のフォルダには、１月〜１２月銀行通帳２３１ｂ、1月請求書・振替案内２３２ｂ、２月請求書・振替案内２３３ｂ等のフォルダが作成される。
【００９１】
銀行通帳入出金明細２２２には、１月〜１２月銀行通帳２３１ｂのフォルダと、１月から１２月までの請求書・振替案内フォルダが作成される。そして、１月〜１２月銀行通帳各月の請求書・振替案内フォルダには、その月の請求書及び振替案内の画像が保存（アップロード）される。なお、フォルダの名称及び仕訳方は任意である。
【００９２】
第３フォルダ２３０であるカード払い請求書等２２３のフォルダには、クレジットカードごとのフォルダが作成されている。
【００９３】
カード払い請求書等２２３内のフォルダには、クレジットカード会社の名称のフォルダが作成されることが好ましい。本実施形態では、図３に示すように、Ｍ社カード２３１ｃ、Ｎ社カード２３２ｃのフォルダが作成されている。なお、フォルダの名称及び仕訳方は任意である。
【００９４】
貸借対照表２２４、損益計算書２２５、売上・仕入請求書２２６、手形等２２７及び議事録等２２８のフォルダにも下位フォルダが設けられてもよい。これらのフォルダの下位フォルダについては説明を省略する。
【００９５】
（第４フォルダ２４０）
第４フォルダ２４０は、第３フォルダ２３０の下位フォルダである。第４フォルダ２４０である１月現金払い２３１ａのフォルダは、１月の経費である領収書画像２４１ａ、２４２ａ又はレシートの画像が１月現金払い２３１ａのフォルダに保存（アップロード）される。
【００９６】
本実施形態では、１月現金払い２３１ａのフォルダは、フォルダ作成時には空フォルダである。そして、第１端末３００の利用者が、１月の経費である領収書画像２４１ａ、２４２ａ又はレシートの画像を１月現金払い２３１ａのフォルダに保存する。
【００９７】
第４フォルダ２４０である２月現金払い２３２ａ、３月現金払い２３３ａ等のフォルダも、１月現金払い２３１ａと同様に、２月、３月の経費である領収書画像が保存（アップロード）される。
【００９８】
本実施形態では、２月現金払い２３２ａ、３月現金払い２３３ａ等のフォルダは、フォルダの作成時には空フォルダである。４月から１２月までの現金払いのフォルダも、同様に、フォルダの作成時に空フォルダが作成される。
【００９９】
第１端末３００の利用者は、各月の経費である領収書又はレシートの画像を各月の現金払いのフォルダに保存する。なお、各月の現金払いのフォルダは、第１端末３００の利用者が作成してもよい。
【０１００】
第４フォルダ２４０である１月〜１２月銀行通帳２３１ｂのフォルダは、通帳の見開き画像２４１ｂ、２４２ｂ等が、１月〜１２月銀行通帳２３１ｂのフォルダに保存（アップロード）される。
【０１０１】
本実施形態では、１月〜１２月銀行通帳２３１ｂのフォルダは、フォルダ作成時には空フォルダである。第１端末３００の利用者が、通帳の見開き画像２４１ｂ、２４２ｂ等を１月〜１２月銀行通帳２３１ｂのフォルダに保存する。
【０１０２】
第１端末３００の利用者は、第１端末３００の第１通信部３２０を利用して銀行口座の明細を閲覧し、第１表示部３４０に表示された銀行口座の明細を撮像部３３０によって撮像し、当該画像を銀行通帳入出金明細書２２２に保存（アップロード）してもよい。
【０１０３】
また、スキャンした通帳の見開き画像が、銀行通帳入出金明細書２２２に保存されてもよい。なお、フォルダの名称及び仕訳方は任意である。
【０１０４】
第４フォルダ２４０であるＭ社カード２３１ｃには、Ｍ社のクレジットカードの明細書データが保存（アップロード）される。第１端末３００の利用者は、使用しているクレジットカード会社のフォルダに、クレジットカードの明細書画像を保存（アップロード）する。
【０１０５】
第１端末３００の利用者は、第１端末３００の第１通信部３２０を利用してＭ社カード利用明細を閲覧し、第１表示部３４０に表示されたカード利用明細を撮像部３３０によって撮像し、当該画像をＭ社カード２３１ｃに保存（アップロード）してもよい。
【０１０６】
Ｎ社カード２３２ｃもＭ社カード２３１ｃと同様である。なお、フォルダの数は限定されず、また、フォルダの名称及び仕訳方は任意である。
【０１０７】
＜第２実施形態＞
第２実施形態では、第１実施形態とはまた異なる下位フォルダに関して説明する。第１実施形態と同様の内容に関しては、省略又は簡略する場合がある。
【０１０８】
第２端末４００の作業者は、クラウドサーバ２００上にフォルダを作成する。図４に示す第１フォルダ２１０、第２フォルダ２２０、第３フォルダ２３０、第４フォルダ２４０は、第２端末４００の作業者がクラウドサーバ２００上に作成したものの一例である。
【０１０９】
（第１フォルダ２１０）
クラウドサーバ２００上には、第１フォルダ２１０が作成されている。第１フォルダ２１０には、Ｘ税務会計資料２１１、Ｙ税務会計資料２１２、Ｚ税務会計資料２１３のフォルダが作成される。具体的には第１実施形態と同様である。
【０１１０】
（第５フォルダ２５０）
第５フォルダ２５０は、第１フォルダ２１０の下位フォルダである。第５フォルダ２５０であるＸ税務会計資料２１１には、相続税関係２５１、贈与税関係２５２及び資産税関係２５３のフォルダが作成される。Ｙ税務会計資料２１２及びＺ税務会計資料２１３は、Ｘ税務会計資料２１１と同様であるので説明を省略する。
【０１１１】
相続税関係２５１のフォルダには、相続税に関連する書類等の画像が保存（アップロード）される。贈与税関係２５２のフォルダには、贈与税に関連する書類等の画像が保存（アップロード）される。資産税関係２５３には、資産税に関連する書類等の画像が保存（アップロード）される。
【０１１２】
本実施形態では、第１端末３００の利用者が、相続税関係２５１のフォルダに相続税に関連する書類等の画像を、贈与税関係２５２のフォルダに贈与税に関連する書類等の画像を、資産税関係２５３のフォルダに資産税に関連する書類等の画像を、保存（アップロード）する。
【０１１３】
（第６フォルダ２６０）
第６フォルダ２６０は、第５フォルダ２５０の下位フォルダである。第６フォルダ２６０である相続税関係２５１のフォルダには、相続人・相続財産の把握２６１、相続財産の評価２６２及び遺産分割協議書２６３のフォルダが作成される。第６フォルダ２６０である贈与税関係２５２及び資産税関係２５３のフォルダは、構成として同様であるため説明を省略する。
【０１１４】
相続人・相続財産の把握２６１のフォルダは、相続人、相続財産の把握のための書類等の画像が保存（アップロード）される。なお、さらに下位のフォルダが作成されていてもよい。
【０１１５】
本実施形態では、第１端末３００の利用者が、相続人・相続財産の把握２６１のフォルダに、相続人・相続財産の把握のための書類等の画像を、保存（アップロード）する。
【０１１６】
相続財産の評価２６２のフォルダには、相続財産を評価するためのフォルダが作成される。
【０１１７】
遺産分割協議書２６３のフォルダには、遺産分割協議書等の書類の画像が保存（アップロード）される。なお、さらに下位のフォルダが作成されていてもよい。
【０１１８】
本実施形態では、第１端末３００の利用者が、遺産分割協議書２６３のフォルダに、遺産分割協議書等の書類の画像を保存（アップロード）する。
【０１１９】
（第７フォルダ２７０）
第７フォルダ２７０は、第６フォルダ２６０の下位フォルダである。第７フォルダ２７０である相続人・相続財産の把握２６１のフォルダには、被相続人の戸籍書類画像２７１ａ、相続人放棄申述書画像２７２ａ、遺産分割協議書画像２７３ａ等の画像が保存（アップロード）される。
【０１２０】
本実施形態では、第１端末３００の利用者が、相続人・相続財産の把握２６１のフォルダに、被相続人の戸籍書類画像２７１ａ、相続人放棄申述書画像２７２ａ、遺産分割協議書画像２７３ａ等の画像を保存（アップロード）する。
【０１２１】
第７フォルダ２７０である相続財産の評価２６２のフォルダには、土地の評価２７１ｂ、預貯金２７２ｂ等のフォルダが作成される。土地の評価２７１ｂのフォルダには、所有する土地ごとの下位フォルダが作成される。また、預貯金２７２ｂのフォルダには、口座ごとの下位フォルダが作成される。
【０１２２】
（第８フォルダ２８０）
第８フォルダ２８０は、第７フォルダ２７０の下位フォルダである。第８フォルダ２８０である土地の評価２７１ｂのフォルダには、土地Ａ２８１ａ、土地Ｂ２８２ａ等のフォルダが作成される。土地Ａ２８１ａ及び土地Ｂ２８２ａのフォルダには、それぞれの土地の評価資料画像が保存（アップロード）される。
【０１２３】
第８フォルダ２８０である預貯金２７２ｂのフォルダには、普通預金Ｃ、普通預金Ｄ等のフォルダが作成される。普通預金Ｃ及び普通預金Ｄのフォルダには、それぞれの口座内容の画像が保存（アップロード）される。
【０１２４】
本実施形態では、第１端末３００の利用者が、普通預金Ｃ及び普通預金Ｄのフォルダに、それぞれの口座内容の画像を保存（アップロード）する。
【０１２５】
（第９フォルダ２９０）
第９フォルダ２９０は、第８フォルダ２８０の下位フォルダである。第９フォルダ２９０である土地Ａ２８１ａのフォルダには、履歴事項全部証明書画像２９１ａ、路線価値画像２９２ａ、公図画像２９３ａ、地積測量画像２９４ａ等の画像が保存（アップロード）される。土地ｂ２８２ａのフォルダも同様である。
【０１２６】
本実施形態では、第１端末３００の利用者が、土地Ａ２８１ａのフォルダに、履歴事項全部証明書画像２９１ａ、路線価値画像２９２ａ、公図画像２９３ａ、地積測量画像２９４ａ等の画像を保存（アップロード）する。
【０１２７】
第９フォルダ２９０である普通預金Ｃ２８１ｂのフォルダには、通帳見開き画像２９１ｂ、残高証明書画像２９２ｂ等の画像が保存（アップロード）される。普通預金Ｄのフォルダも同様である。
【０１２８】
本実施形態では、第１端末３００の利用者が、普通預金Ｃ２８１ｂのフォルダに、通帳見開き画像２９１ｂ、残高証明書画像２９２ｂ等の画像を保存（アップロード）する。
【０１２９】
（税務会計システム１００のフローチャート）
図５を用いて、税務会計システム１００の第１実施形態のフローチャートを説明する。第２実施形態のフローチャートは、構成的には第１実施形態と同様であるので省略する。
【０１３０】
まず、第２端末４００の使用者は、クラウドサーバ２００上に第１フォルダ２１０、第２フォルダ２２０、第３フォルダ２３０及び第４フォルダ２４０を作成する（ステップＳ１１）。
【０１３１】
第１実施形態では、第１フォルダ２１０、第２フォルダ２２０、第３フォルダ２３０及び第４フォルダ２４０を作成したが、下位フォルダの数は限定されない。
【０１３２】
第１端末３００の利用者は、第１端末３００の撮像部３３０を用いて、税務会計情報ＡＩを撮像する。言い換えると、撮像機能を備える第１端末３００によって、税務会計情報ＡＩが撮像される（ステップＳ１２、撮像工程）。
【０１３３】
具体的には、例えば、第１端末３００の利用者は、第１端末３００であるスマートフォンの撮像部３３０であるカメラを利用して、税務会計情報ＡＩである領収書を撮像する。
【０１３４】
次に、第１端末３００の利用者は、第１端末３００を用いて第１アプリ３１０を起動させ、撮像した税務会計情報ＡＩ（税務会計情報画像ＡＧ）をクラウドサーバ２００の第４フォルダ２４０に保存（アップロード）する。
【０１３５】
言い換えると、前記撮像工程によって撮像された税務会計情報画像ＡＧがクラウドサーバ２００に保存（アップロード）される（ステップＳ１３、税務会計情報保存工程）。
【０１３６】
具体的には、第１端末３００の利用者は、第１端末３００であるスマートフォンで第１アプリ３１０であるアプリケーションを開く。そして、例えば、税務会計情報ＡＩである領収書の日付が１月の日にちの場合、第１端末３００の利用者は、１月現金払い２３１ａのフォルダに当該領収書の画像を保存（アップロード）する。
【０１３７】
なお、第１端末３００の利用者は、クラウドサーバ２００にアクセスし、第４フォルダ２４０を開いてから、撮像部３３０であるカメラを利用して、税務会計情報ＡＩである領収書等を撮像し、撮像された税務会計情報画像ＡＧを直接第４フォルダ２４０に保存（アップロード）してもよい。
【０１３８】
次に、第２端末４００の使用者は、第２端末４００を用いて第２アプリ４１０を起動させ、クラウドサーバ２００の第４フォルダ２４０にアクセスする。
【０１３９】
第４フォルダ２４０へのアクセスは、第２端末４００の第２通信部４２０でインターネットにアクセスして行う。
【０１４０】
言い換えると、撮像機能を有する装置（第１端末３００）によって撮像された税務会計情報画像ＡＧを保存したクラウドサーバ２００がアクセスされる（ステップＳ１４、通信工程）。
【０１４１】
具体的には、第２端末４００の使用者は、第２端末４００であるパソコンを用いて、税務会計情報画像ＡＧが保存されているクラウドサーバ２００の第４フォルダ２４０にアクセスする。
【０１４２】
次に、第２端末４００の使用者は、クラウドサーバ２００の第４フォルダ２４０内の税務会計情報画像ＡＧを第２端末４００の第２表示部４４０に表示させる。
【０１４３】
言い換えると、前記通信工程によりクラウドサーバ２００がアクセスされ、保存されている税務会計情報画像ＡＧが表示される（ステップＳ１５、画像表示工程）。
【０１４４】
具体的には、第２端末４００の使用者は、クラウドサーバ２００にアクセスし、例えば、第４フォルダ２４０である１月現金払い２３１ａを開く。そして、例えば、１月現金払い２３１ａのフォルダに税務会計情報画像ＡＧである領収書の画像が保存（アップロード）されている場合、第２端末４００の使用者は、当該領収書の画像をダブルクリックし、パソコン又はスマートフォンの画面（第２表示部４２０）上に当該領収書の画像を表示させる。
【０１４５】
次に、第２端末４００の使用者は、第２端末４００に保存されている税務会計ソフト４３０を起動させ、税務会計情報画像ＡＧを見て、税務会計情報ＡＩを税務会計ソフト４３０に入力する。
【０１４６】
なお、税務会計ソフト４３０は、第２端末４００にインストールされているもの、クラウドサーバにアクセスするもの、いずれであってもよい。また、税務会計ソフト４３０は、第２端末４００以外の端末にインストールされていてもよい。
【０１４７】
言い換えると、前記画像表示工程によって表示された税務会計情報画像ＡＧに基づいて、所定の税務会計ソフト４３０に税務会計情報ＡＩが入力される（ステップＳ１６、税務会計情報入力工程）。
【０１４８】
具体的には、第２端末４００の使用者は、第２端末４００であるパソコンにインストールされている税務会計ソフト４３０を起動させる。そして、例えば、税務会計情報画像ＡＧである領収書の画像を見て、その内容を税務会計ソフト４３０に入力する。
【０１４９】
なお、第２端末４００がスマートフォンの場合、当該スマートフォンの使用者は、当該スマートフォンに表示された税務会計情報画像ＡＧを見ながら、パソコンにインストールされている税務会計ソフト４３０に入力してもよい。
【０１５０】
このような会計システム１００の方法であれば、例えば、第１端末３００の利用者は、クラウドサーバ２００上の所定の第４フォルダに領収書等の画像をアップロードするだけで、税務会計処理を第２端末４００の使用者である税理士等にしてもらうことができる。
【０１５１】
また、第２端末４００の使用者である税理士等は、容易に税務会計処理を行うことができる。
【０１５２】
本発明は、その趣旨を逸脱しない範囲で種々の改良、修正、又は変形を加えた態様でも実施できる。
【符号の説明】
【０１５３】
１００…税務会計システム
２００…クラウドサーバ
２１０…第１フォルダ
２２０…第２フォルダ
２３０…第３フォルダ
２４０…第４フォルダ
２５０…第５フォルダ
２６０…第６フォルダ
２７０…第７フォルダ
２８０…第８フォルダ
２９０…第９フォルダ
３００…第１端末（端末）
３１０…第１アプリ（アプリケーション）
３２０…第１通信部
３３０…撮像部（撮像機能）
３４０…第１表示部
３５０…第１記憶部
４００…第２端末（端末）
４１０…第２アプリ（アプリケーション）
４２０…第２通信部
４３０…税務会計ソフト（税務会計ソフトウェア）
４４０…第２表示部
４５０…第２記憶部
【図１】
2017033607.tif 000003
【図２】
2017033607.tif 000004
【図３】
2017033607.tif 000005
【図４】
2017033607.tif 000006
【図５】
2017033607.tif 000007